(57)【要約】      （修正有）【課題】簡単な構成で手間を掛けずに、カイワレ大根等の根の部分を容器内でそのまま切断することができる切断機能付きプラスチック容器を提供する。【解決手段】フランジを有する容器本体、及び蓋材からなるプラスチック容器であって、容器本体の下部内側周囲全体に沿って、切断用線状部材が設置されている。【選択図】図１
0003200731.tif 000002
【実用新案登録請求の範囲】
【請求項１】
フランジを有する容器本体、及び蓋材からなるプラスチック容器であって
前記容器本体には、切断用線状部材が設置されていることを特徴とする切断機能付きプラスチック容器。
【請求項２】
前記切断用線状部材は、一端が前記容器本体の下部内側に固定されており、さらに、前記容器本体の内側周囲全体に沿って設置されており、他端が前記容器本体を貫通して容器本体の外側に出ていることを特徴とする請求項１に記載の切断機能付きプラスチック容器。
【請求項３】
前記切断用線状部材は、前記容器本体の下部内側周囲全体に沿って設置されており、両端が前記容器本体を貫通して容器本体の外側に出ていることを特徴とする請求項１に記載の切断機能付きプラスチック容器。
【考案の詳細な説明】
【技術分野】
【０００１】  本考案は、スーパーマーケットや食料品店等で販売するために、カイワレ大根等の生成食品を収納するプラスチック容器に関する。さらに言えば、カイワレ大根等の根の部分をそのまま切断することができる切断機能を備えたプラスチック容器に関する。
【背景技術】
【０００２】  スーパーマーケットや食料品店等で販売されているカイワレ大根は、細長いプラスチック容器に入れられていることが多い。カイワレ大根は、スポンジシートの上に種を蒔き、水耕栽培で発芽、生育させているのであるが、出荷する際、品質保持（主に鮮度を保つための水分保持）のため、及び出荷時における梱包作業の利便性のため、スポンジシート（種が蒔かれているので、根がスポンジに巻きついている）も一緒に容器に入れて出荷されていることが通常である。【０００３】  従って、各家庭で調理する際、カイワレ大根の根の部分（スポンジシート、及びスポンジシートに巻きついた根）をスポンジシートごと包丁等で切り取る必要があった。出願人らは、各家庭で調理する際、いちいちカイワレ大根の根の部分を包丁で切り取る作業が、大変面倒であると考え、何とか包丁を使わずに、カイワレ大根の根の部分を切断することができないかを、鋭意研究した結果、本考案に係る切断機能付きプラスチック容器に至ったのである。【０００４】  特許文献１の如く、カイワレ大根のような生成食品用の容器として、通気性を有しながら無菌性を兼ね備えたコストの安いプラスチック容器を提供することを目的として、「フランジを有する容器本体及び蓋材より構成された容器であって、該フランジ部に屈折した溝を形成し、蓋材をフランジに密着した状態で、前記溝が少なくとも１回以上の屈折を経て容器内部と容器外部が通じていることを特徴とする通気性容器（特許文献１：請求項１）。」が開示されていた。
【先行技術文献】
【特許文献】
【０００５】
【特許文献１】  特開平６−２３９３７３号公報
【考案の概要】
【考案が解決しようとする課題】
【０００６】  特許文献１に係る通気性容器は、保存中に多くのガスを発生するために密封が困難な食品、保存中に呼吸が著しく密封状態では窒息してしまう食品、通気性を有しながら無菌性を兼ね備えることを必要とする好気性菌培養、植物培養分野へ利用ができるだけの容器であり、カイワレ大根等の根の部分を切断するような機能は有していないものである。即ち、カイワレ大根等の根の部分を、容器内でそのまま切断することができる切断機能を備えたプラスチック容器は知られていなかった。【０００７】  本考案の目的は、簡単な構成であっても手間を掛けずに、カイワレ大根等の根の部分を容器内でそのまま切断することができる切断機能を備えた切断機能付きプラスチック容器を提供することにある。
【課題を解決するための手段】
【０００８】  請求項１に記載した考案は、フランジを有する容器本体、及び蓋材からなるプラスチック容器であって前記容器本体には、切断用線状部材が設置されていることを特徴とする切断機能付きプラスチック容器であることを特徴とするものである。【０００９】  請求項２に記載した考案は、請求項１に記載した考案において、前記切断用線状部材は、一端が前記容器本体の下部内側に固定されており、さらに、前記容器本体の内側周囲全体に沿って設置されており、他端が前記容器本体を貫通して容器本体の外側に出ている切断機能付きプラスチック容器であることを特徴とするものである。【００１０】  請求項３に記載した考案は、請求項１に記載した考案において、前記切断用線状部材は、前記容器本体の下部内側周囲全体に沿って設置されており、両端が前記容器本体を貫通して容器本体の外側に出ている切断機能付きプラスチック容器であることを特徴とするものである。
【考案の効果】
【００１１】  本考案によれば、簡単な構成であっても手間を掛けずに、カイワレ大根等の根の部分を容器内でそのまま切断することができる切断機能を備えた切断機能付きプラスチック容器を提供することができるようになった。【００１２】  さらに、請求項２に係る切断機能付きプラスチック容器では、切断用線状部材は、一端が前記容器本体の下部内側に固定されており、さらに、容器本体の内側周囲全体に沿って延びており、他端が容器本体を貫通して容器本体の外側に出ているので、切断する際は、切断用線状部材の一端のみを引っ張ることになる。このような構成であれば、カイワレ大根等を半分だけ調理に使って、半分は調理せずに保存したいような場合、切断作業における力加減を調整し易いと言える。【００１３】  そして、請求項３に係る切断機能付きプラスチック容器では、切断用線状部材は、容器本体の下部内側周囲全体に沿って延びており、両端が容器本体を貫通して容器本体の外側に出ているので、切断する際は、両端を引っ張ることになる。このような構成であれば、カイワレ大根等を一度に全て調理に使い切ってしまうような場合、切断作業の力加減をすることなく気持ちよく切断作業をすることができる。
【図面の簡単な説明】
【００１４】
【図１】切断機能付きプラスチック容器の全体斜視図である。
【図２】切断機能付きプラスチック容器に設置した切断用線状部材を説明するための拡大図である。
【考案を実施するための形態】
【００１５】＜切断機能付きプラスチック容器の構造＞
以下、本考案に係る切断機能付きプラスチック容器１０について、図１〜図２を参照しつつ詳細に説明する。図１は、本考案に係る切断機能付きプラスチック容器１０の全体斜視図である。
【００１６】  本考案に係る切断機能付きプラスチック容器１０は、フランジを有する容器本体２０、及び蓋材３０からなるプラスチック容器である。そして、容器本体２０には、切断用線状部材４０が設置されている切断機能付きプラスチック容器１０である。切断用線状部材４０は、一端が容器本体２０の下部内側に固定されており、さらに、容器本体２０の内側周囲全体に沿って延びており、他端が容器本体２０を貫通して容器本体の外側に出ているような構成になっている。そして、切断用線状部材４０は、別の構成として、容器本体２０の下部内側周囲全体に沿って延びており、両端が容器本体２０を貫通して容器本体の外側に出ているような構成になっていても良い。
【００１７】  切断用線状部材４０の素材としては、裁縫用の糸を使用するが、より強度の大きい釣り糸を使用しても良い。さらに、切断効果を望むのであれば、ピアノ線を使用することも出来る。尚、切断用線状部材４０は、容器本体２０の下部内側周囲全体に沿って、人が引っ張る程度の力であれば、容器本体２０から取れてしまう程度の接着強度で固定されている。
【００１８】  ＜切断機能付きプラスチック容器の使用方法＞
図２は、切断機能付きプラスチック容器に設置した切断用線状部材を説明するための拡大図である。図２（ａ）は、請求項２に係る切断機能付きプラスチック容器の切断用線状部材を説明するための拡大図であり、図２（ｂ）は、請求項３に係る切断機能付きプラスチック容器の切断用線状部材を説明するための拡大図である。
【００１９】  本考案の請求項２に係る切断機能付きプラスチック容器１０では、切断用線状部材４０は、一端が容器本体２０の下部内側に固定されており（図２（ａ）参照）、さらに、容器本体２０の内側周囲全体に沿って延びており、他端が容器本体２０を貫通して容器本体の外側に出ている。即ち、切断する際は、切断用線状部材４０の一端のみを引っ張ることになる。
【００２０】  さらに、本考案の請求項３に係る切断機能付きプラスチック容器１０は、切断用線状部材４０は、容器本体２０の下部内側周囲全体に沿って延びており、しかも、切断用線状部材４０が、切断機能付きプラスチック容器１０内で、クロスしつつ両端が容器本体２０を貫通して容器本体２０の外側に出ている（図２（ｂ）参照）という構成になっている。即ち、切断する際は、切断用線状部材４０の両端を引っ張ることになる。
【００２１】  ＜切断機能付きプラスチック容器の効果＞
本考案のポイントは、簡単な構成であっても手間を掛けずに、カイワレ大根等の根の部分を容器内でそのまま切断することができる切断機能を備えた切断機能付きプラスチック容器であるということである。
【００２２】  請求項２に係る切断機能付きプラスチック容器では、切断する際は、一端のみを引っ張るようになる。例えば、調理するにあたってカイワレ大根を半分だけ使って、半分は調理せずに残すというような際、切断の力加減を調整し易い。請求項３に係る切断機能付きプラスチック容器では、切断する際は、両端を引っ張るようになる。例えば、調理するにあたってカイワレ大根を一度に全て使い切ってしまうような際、切断の力加減をすることなく気持ちよく切断作業ができる。
【００２３】  ＜切断機能付きプラスチック容器の変更例＞
本考案に係る切断機能付きプラスチック容器１０の構成は、上記実施形態の態様に何ら限定されるものではなく、容器本体２０、蓋材３０、切断用線状部材４０等の構成を、本考案の趣旨を逸脱しない範囲で、必要に応じて適宜変更することができる。
【産業上の利用可能性】
【００２４】  本考案に係る切断機能付きプラスチック容器は、上記の如く優れた効果を奏するものであるので、カイワレ大根やキノコ類等の調理前に根の部分を切断する必要のある生成食品を収納するプラスチック容器に関する分野において好適に用いることができる。
【符号の説明】
【００２５】  １０・・切断機能付きプラスチック容器
２０・・容器本体
３０・・蓋材
４０・・切断用線状部材
【図１】
0003200731.tif 000003
【図２】
0003200731.tif 000004